(57)【要約】【課題】可搬型屋外移動電飾看板として、蛍光灯、冷陰極管などに替る機械的衝撃力に優れ、且つバッテリー駆動から低消費電力の光源の開発、パネル面の光むら防止技術の確立、持ち運びする上から軽量化、低価格化。【解決手段】ＥＬ発光シートを丸管や長円管或いは楕円管を芯に外周に沿って巻き付け固着したＥＬ円柱発光体を電飾看板の光反射シート上に取付け、更にＥＬ円柱発光体表面に透過光調整シートを光反射シートと平行に設置する事により電飾看板の表面パネル面での光のムラを少なくする。丸管や長円管或いは楕円管等の変成母体の外周形状に沿って固着されたＥＬ円柱発光体は外周形状に沿って発光するため、ＥＬの平面発光よりＥＬ面発光の照射面積を飛躍的（４〜６倍）に拡大し、上記パネル面の光むら防止技術とあいまって、夜間、僅か１０ワットの電力にてＡ０サイズの葬儀用花輪の名札等の可搬型屋外移動電飾看板として視認性を確保できる。【選択図】図１
2006072274.tif 000002
【特許請求の範囲】
【請求項１】
（１）柔軟性を有する基板上にスクリーン印刷で形成されたＥＬ発光シート或いはＥＬＦを円、長円、楕円等に変成し、ＥＬの平面発光より、変成母体の外周形状に沿って外周発光する事を特長とするＥＬ円柱発光体
（２）ＥＬ発光シート或いはＥＬＦを丸管（ボイド管）、長円管、楕円管等に巻き付け透明熱収縮チューブにより被覆し固着する。通電用リード線は丸管の中空部を経由し、両端に設けたコネクタまたは直接引き出す。この発光体を複数接続する事により任意の長さの発光体を得る事を特長とするＥＬ円柱発光体
【請求項２】
（１）看板の底面に貼られた光反射シート上にＥＬ円柱発光体を照射光が平均になるように配置する。ＥＬ円柱発光体の発光面上に反射シートと平行に透過光調整シートを設けＥＬ円柱発光体からの直接光と透過光調整シートによる反射光により表面パネル面において照度のムラを防止した電飾看板。
【発明の詳細な説明】
【技術分野】
【０００１】  本発明は、表示内容が随時変わる、例えば葬儀用花輪の名札看板、或いはイベント会場案内などに使用する前面パネルが着脱容易な電飾看板に関し、光源の素材として、既存のＥＬシート或いはＥＬＦを用いることにより、非常に安価に製造でき、且つ極めて少ない電力消費にて大面積を照射ならしめるにもかかわらず表示パネル面での明るさにムラの少ないバッテリー駆動可搬型屋外移動電飾看板装置に関する。
【背景技術】
【０００２】図８は、従来の電飾看板に用いられる蛍光灯２１を光源に使用した事例ついて示す。表示面積により蛍光灯の本数を増たり、反射板２２などにより表示パネル１４の光ムラを無くしている。蛍光管が破損し易く可搬型屋外移動電飾看板には不向き。【０００３】図９は、前面表示パネル１４、冷陰極管２３と反射板２４、導光板２５を用いた電飾看板を示す。冷陰極管の長さに限りが有り、長尺大型看板への適用は複雑になり困難が伴う、また冷陰極管が衝撃に弱く破損し易く可搬型屋外移動電飾看板には不向き。【０００４】図１０は、ＬＥＤ  ２６を光源に用いた例を示す。ＬＥＤは電力消費が少なく且つ機械的衝撃に対して可搬型屋外移動電飾看板用としては有利な面も有るが、ＬＥＤの持つ発光体としての限界、即ちＬＥＤの発光面より極めて限定された直交方向への点光源であり、冷陰極管式と同様、反射板２４、導光板２５が必要。特に大型面発光への展開は大型導光板が必要、高価であると同時にかなりの重量となる。また数多くのＬＥＤが必要となり消費電力も大となり電源を含めた可搬型屋外移動電飾看板には不向き。【０００５】図１１は、ＥＬ発光板２７を使用した看板事例を示す。ＥＬ発光板は機械的衝撃などには強く可搬型屋外移動電飾看板への適用条件は満たすが、駆動するための単位面積当り電源容量がＡ３サイズ以上になると消費電力も大となり大容量のバッテリーが必要となり、かなりの重量となり可搬型屋外移動電飾看板への適用は限界がある。
【特許文献１】特開２００４−０１３０７２号公報（１頁、図１）
【特許文献２】特開２００３−２９６７３号公報  （４頁、図１）
【特許文献１】特開２００２−１１０３４１号公報（２頁、図１）
【発明の開示】
【発明が解決しようとする課題】
【０００６】バッテリー駆動、可搬型屋外移動電飾看板として、蛍光灯、冷陰極管などに替る機械的衝撃力に優れ、且つバッテリー駆動から低消費電力の光源の開発、パネル面の光むら防止技術の確立、持ち運びする上から軽量化、低価格化が目的であり必須課題である。
【課題を解決するための手段】
【０００７】図１に、バッテリー駆動、可搬型屋外移動電飾看板用として開発したＥＬ円柱発光体を示す。Ａ３サイズのＥＬ発光シート１を長手方向１ａ（発光有効寸法４２０ｍｍ）に横幅１ｂは看板厚みに対して光照射のむムラを最も少なく出来る最適な寸法を選択する。今回採用した照射パネル面までの厚さ４９ｍｍの電飾看板に対する最適な横幅１ｂは３７．５ｍｍとなる。長手方向１ａが４２０ｍｍに対し横幅１ｂは３７．５ｍｍのＥＬシート片２これを、円柱は直径１３φの丸管３（ボイド管）に巻付成形し、両端に接続用オス４ａ、メス４ｂ電極端子を取付ける。オス端子４ａよりＥＬシート電極５へ配線する。さらにメス端子４ｂへも配線する。オス４ａ、メス４ｂ両端子を丸管３の両端に装着し接着剤により固着。次に丸管３に表記した中心線７に沿ってＥＬシートを巻き付け、透明熱収縮チューブ６（肉厚０．１ｍｍ  商品名ヒシチューブ三菱樹脂）により被覆し固着する。コネクタにより複数のＥＬ円柱発光体を接続し任意の長さのＥＬ円柱発光体を得る。またコネクタを使用しない場合は直接リード線の引出しも可能である。なお、３ａならび３ｂには丸管に替り、長円管、楕円管を使用した場合を示す。丸管の円周発光に対し、管形状を選択する事により、その管の外形形状に沿った発光をする事により光源としての最適な選択が出来る。
図２に丸管によるＥＬ円柱発光体の断面図を示す。直径１３φの丸管３の円周は４０．８２ｍｍに対し３７．５ｍｍのＥＬシート片２を巻き付け、図２に示す様に、直径１３φの円柱丸管の周囲に３３０．７度９、約３０度９ａの間隙を残しＥＬが巻付けられる。光源を取付ける際は、この約３０度の間隙９ａが底面に接する様にして反射シート１０上に固着する。これにより３３０．７度の角度に対して全周囲発光照射される。【０００８】またＥＬ円柱発光体の基準となる長さは、ＥＬ発光シートのサイズにより決定される。
Ａ４サイズの場合２１０ｍｍ、Ａ３サイズの場合４２０ｍｍ、Ａ２サイズの場合６００ｍｍ、Ａ１サイズの場合８４０ｍｍ、Ａ０サイズの場合１２００ｍｍとなる。各サイズの組合せにより必要な長さを得る事が出来る。例えば、Ａ３サイズを２本接続することにより、８４０ｍｍとなり、Ａ１サイズと同様な性能を得る事が可能である。【０００９】図３に長さ４２０ｍｍの丸管３にＡ３サイズＥＬシート１より横幅３７．５ｍｍ×縦幅４２０ｍｍのＥＬシート片２を丸管に巻き付け成型固着したＥＬ円柱発光体１１ａを得る。Ａ３サイズの発光シートからは、長さ４２０ｍｍのＥＬ円柱発光体が８本、１１ａから１１ｈまで作成することが出来る。
横幅３７．５ｍｍ×４２０ｍｍのＥＬシート片の発光面積は１５７．５ｃｍ２となる。これを２本接続使用した場合長さ８４０ｍｍ、発光面積は３１５ｃｍ２、Ａ５サイズＥＬ円柱発光体１２となる。【００１０】次に、本ＥＬ円柱発光体１２を実装した電飾看板について説明する。図４にＡ０サイズの電飾看板を示す。底板と側壁とからなる正面が開口している額縁状箱１３と表示パネル１４により構成される。横幅  ８４１ｍｍ  長さ１，１８９ｍｍ  表示面積９，９９９ｃｍ２、この面積に対しサイズ  ３７．５ｍｍ×４２０ｍｍのＥＬ円柱発光体を２本接続した８４０ｍｍＥＬ円柱発光体１２を６本使用、１本当り３１５ｃｍ２×６本＝１，８９０ｃｍ２の発光能力を持つＥＬ円柱発光体によりＡ０サイズの表示面積９，９９９ｃｍ２を光ムラの無い均一な電飾看板を提供する。６本並列に並べたＥＬ円柱発光体１２は電飾看板１３の底面に貼りつけられた反射シート１５に取付ける。またＥＬ円柱発光体１２の正面（上側）には底面反射シート１５と平行に透過光調整シート１６を取付ける。
輝度については表示面積を拡大した分低下（１，８９０→９，９９９ｃｍ２、５．２９倍）する。Ａ４〜Ａ３サイズの輝度は通常７０〜９０ｃｄ／ｍ２であるため拡大した分輝度は低下し、１３〜１７ｃｄ／ｍ２程度となる。照明用として使用する場合であれば輝度の低下は避けなければならないが、電飾看板として表示パネル面での照度は２０〜３０ルックスとなるが、これはＪＩＳ  Ｚ９１１０−１９７９による照度の基準では非常階段、構内通路、展示室等での明るさの目安とされる明るさで、本発明の狙いとして葬祭用造花、花輪への適用として通常の電飾看板で要求される数百ルックスの様なケバケバしい明るさは必要なく、夜間において視認性を確保するだけで十分であり提供者の名前を確認する上で必要条件を満たす。【００１１】次に、本ＥＬ円柱発光体の消費電力について説明する。Ａ３サイズ  面積、１，２６０ｃｍ２のＥＬを発光させるためにはインバータが必要で、その駆動にはＤＣ１２Ｖ，０．８３Ａ消費電力としては１０Ｗが必要である。横幅  ８４１長さ１，１９０ｍｍ、パネル面まで厚さ４９ｍｍ  表示面積９，９９９ｃｍ２看板をＡ３サイズのＥＬシートで発光させるためには、約８枚必要となり、消費電力は１０×８で８０Ｗ必要となる。輝度は確保されるが可搬型屋外移動電飾看板としては電力供給面よりバッテリーでの駆動は不可能である。本発明の狙いはここにあり、長さ４２０ｍｍ、幅３７．５ｍｍＥＬ円柱発光体を２本接続し、長さ８４０ｍｍのＥＬ円柱発光体を得る。これは発光面積Ａ４サイズ（３１５ｃｍ２）に相当する。このＥＬ円柱発光体を６本使用することにより表示面積９，９９９ｃｍ２を光むらの無い均一な電飾看板を提供することで、消費電力も僅か１０Ｗ  照度２０ルックス程度は得られ電飾看板として夜間における視認性は確保できる。バッテリー駆動を可能ならしめ可搬型屋外移動電飾看板として仕様を満たすことが出来る。【００１２】次に、電飾看板は厚さが薄くなると光源の形状が前面パネル表面に現れ光源の配置そのままが照度のムラとなってしまう。このムラを取り除き、均一な照度を得る事が必須である。図５に本発明の電飾看板の断面図を示す。表示パネル１４と底板と側壁とからなる正面が開口している額縁状箱１３と、底板には拡散反射率９６％の超微細発泡光反射シート１５（例えば、商品名ＭＣＰＥＴ、古河電気工業（株）製）を貼り、その上に本ＥＬ円柱発光体１２を配置する。ＥＬ円柱発光体の取付けに際しては発光体を巻き付けていない間隙部を底辺にして取付ける。取付け間隔は照射光が平均になるようにＥＬ円柱発光体を配置する。額縁状箱１３の横幅寸法ａ  ８４１ｍｍに対してＥＬ円柱発光体を６本取付ける場合、左右の寸法はａ／１２  ７０．０ｍｍ、ＥＬ円柱発光体間は中心で２ａ／１２で１４０ｍｍに配置し設定する。また、光源上に光透過率７０％の透過光調整シート１６（例えば、商品名ルミキャップＰ０１、ＩＫＣ（株）製）を底板反射シートと平行に設置する。透過光調整シートの横幅は光源の設置間隔の１／２の寸法７０ｍｍ、長さは光源と同じである。この構成にすることにより図６に示す様に、反射光と直射光が光源と光源の谷間に対しても光源の真上と同等に拡散されパネル表面に対して光ムラの無��均一な照度がえられる。
【発明の効果】本発明によれば，安価な既存のＥＬシートを円柱状に加工したＥＬ円柱発光体を光源に使用しているため、表示パネル面まで厚さ５０ｍｍ以下であるにもかかわらず、Ａ０サイズの大型電飾看板に対しても、僅か１０Ｗの省エネルギーを実現し非常に安価で且つ軽量化を実現している。Ａ２サイズ以下に対しては６Ｗで十分である。
【発明を実施するための最良の形態】
【実施例】図７には本発明を葬儀用花輪の名札への実施例を示す。薄暮時の電飾看板としての名札は、まだ点灯しておらず、薄明かりの中、名札表示文字も判読できる。日没後、名札の状況は何ならかの照明が無いと全く判読する事が出来ず、本発明の実施により日没点灯時のパネル表面の様子を示す如く名札は照らされ容易に判読できる。
なお、本事例の花環について日没時自動点灯、必要時間点灯後自動消灯、通夜と前日との点灯時間の設定などについては公開特許５８−１８９８７３電装表示装置として出願している。
【他の実施形態】
本発明のＥＬ円柱発光体は、素材となるＥＬシートの発光色を選ぶ事によりカラー円柱発光体が製作可能で、図１２に示す各種保安用品への応用が出来る。踏切の遮断機の棒２８への応用、黄色ＥＬを遮断機棒に取付け点滅表示する事により安全性が確保できる。交通指示棒２９、保安等３０等への展開が可能である。
【図面の簡単な説明】
【図１】ＥＬ円柱発光体の製作図、ＥＬシートからＥＬ円柱発光体への加工過程を示す。
【図２】ＥＬ円柱発光体の断面図、丸管に対し取り付る底面のデッドゾーン３０度を避けＥＬシートを巻き付ける。
【図３】Ａ３サイズＥＬシートからＥＬ円柱発光体への展開を示す。
【図４】ＥＬ円柱発光体を実装したＡ０サイズの電飾看板を示す。
【図５】ＥＬ円柱発光体を実装した電飾看板の断面図を示す。
【図６】ＥＬ円柱発光体を実装した電飾看板の光ムラ対処構造図を示す。
【図７】ＥＬ円柱発光体を実装した葬祭用花輪名札への応用、点灯時の情景を示す。
【図８】光源として蛍光灯を使用した既存の電飾看板
【図９】光源として例陰極管を使用した既存の電飾看板
【図１０】光源としてＬＥＤを使用した既存の電飾看板
【図１１】光源としてＥＬシートを使用した既存の電飾看板
【図１２】他の実施形態、各種保安用品への応用
【符号の説明】
１    Ａ３サイズＥＬシート
１ａ  Ａ３サイズＥＬシートの長手方向寸法  ４２０ｍｍ
１ｂ  Ａ３サイズＥＬシートの横幅サイズ  ３７．５ｍｍ
２    長さ４２０ｍｍ、横幅サイズ  ３７．５ｍｍＥＬ発光片
２ａ  長さ４２０ｍｍ、横幅サイズ  ３７．５ｍｍＥＬ発光片の変成
２ｂ  長さ４２０ｍｍ、横幅サイズ  ３７．５ｍｍＥＬ発光片の丸管への巻き付け
１１ａ〜１１ｈ  Ａ３サイズＥＬシートより作成される８本のＥＬ円柱発光体
１２  ＥＬ円柱発光体を２本接続した、Ａ５サイズＥＬ円柱発光体
１５  反射シート
１６  透過光調整シート
２２  反射板
２５  導光板
２７  ＥＬ発光シート
【図１】
2006072274.tif 000003
【図２】
2006072274.tif 000004
【図３】
2006072274.tif 000005
【図４】
2006072274.tif 000006
【図５】
2006072274.tif 000007
【図６】
2006072274.tif 000008
【図７】
2006072274.tif 000009
【図８】
2006072274.tif 000010
【図９】
2006072274.tif 000011
【図１０】
2006072274.tif 000012
【図１１】
2006072274.tif 000013
【図１２】
2006072274.tif 000014